(57)【要約】【課題】不揮発性メモリ内部に外部からアクセス可能な領域を設けて、デバイスドライバとアプリケーションとを記憶可能とする情報記録再生装置を提供する。【解決手段】情報記録再生装置１の不揮発メモリ４内部に、外部からホスト機器３を介してアクセス可能なアクセス可能領域５を設け、その領域にデバイスドライバとアプリケーションを導入する。情報記録再生装置１とホスト機器３との接続は、このデバイスドライバを用いて行う。さらに、アクセス可能領域５に記憶したアプリケーションを使用して、記録媒体２の情報を再生したり、記録媒体２へ情報を記録したりすることが可能となる。これにより、従来のように、ホスト機器にデバイスドライバやアプリケーションを導入しなくとも、使用者にとって、情報記録再生装置１とホスト機器３との接続・情報のやり取りを容易に実現できる構成とする。【選択図】図１
2007179148.tif 000002
【特許請求の範囲】
【請求項１】
ホスト機器を介して記録媒体上に記録された情報を少なくとも再生することが可能な情報記録再生装置であって、
記録媒体に対して少なくとも情報の再生の動作を行う情報記憶再生部と、
外部からのアクセスが不可能なアクセス不可能領域と外部から前記ホスト機器を介してアクセスが可能なアクセス可能領域とを有し、前記アクセス不可能領域に装置の制御を行うファームウェアが記憶された不揮発性メモリと
を備えたことを特徴とする情報記録再生装置。
【請求項２】
前記不揮発性メモリは、所定のアドレスを境として分割された２つの領域を有し、前記アクセス不可能領域と前記アクセス可能領域とは、前記分割された２つの領域に設けられている
ことを特徴とする請求項１に記載の情報記録再生装置。
【請求項３】
外部に設けられたホスト機器につながる通信手段が、前記アクセス可能領域に接続可能とされている
ことを特徴とする請求項１または２に記載の情報記録再生装置。
【請求項４】
前記アクセス可能領域に、前記ホスト機器との接続に必要なデバイスドライバが記憶されている
ことを特徴とする請求項３に記載の情報記録再生装置。
【請求項５】
前記アクセス可能領域に、前記記録媒体上に記録された情報を再生するアプリケーションおよび前記記録媒体上に情報を記録するアプリケーションの少なくてもいずれかがさらに記憶されている
ことを特徴とする請求項４に記載の情報記録再生装置。
【発明の詳細な説明】
【技術分野】
【０００１】
本発明は、光ディスク、半導体メモリ、ハードディスク等のホスト機器を介して記録媒体上に記録された情報を少なくとも再生することが可能な光ディスクドライブ、半導体メモリリーダ・ライタ、ハードディスクドライブ等の情報記録再生装置（ターミナル機器）であり、特にパーソナルコンピュータ、ＰＤＡ、携帯電話、携帯型ゲーム機、携帯型テレビ等のホスト機器との接続手段を備えた情報記録再生装置に関するものである。
【背景技術】
【０００２】
最近のディジタル技術の急速な発展に伴い、各種コンテンツでは、取り扱うデータ量が急増しており、ユーザの様々な用途に合わせたデータ記録再生メディアが開発されている。このような記録媒体の例としては、光ディスク、半導体メモリ、ハードディスク等が挙げられる。
【０００３】
さて、これら記録媒体を使用する情報記録再生装置（ターミナル機器）は、パーソナルコンピュータ、ＰＤＡ、携帯電話、携帯型ゲーム機、携帯型テレビ等のホスト機器との接続を行い、その情報を取り出し、使用者がデータ（映像、音楽、文書、ゲーム、プログラム等）を使用することがその主な使用目的となっている。例えば、ＵＳＢケーブルを用いて、外付けの光ディスクドライブをパーソナルコンピュータに接続し、ドライブに搭載された光ディスクからの情報を取り出して、パーソナルコンピュータで使用することを挙げることができる。
【０００４】
このような情報記録再生装置とホスト機器との接続において、プラグアンドプレイによる接続が既に一般的となっている。プラグアンドプレイは、情報記録再生装置をホスト機器に接続した際に、ホスト機器内部のハードウェアやオペレーティングシステムが自動的に情報記録再生装置を認識してリソースの割り当てやデバイスドライバの導入などの作業を行い、使用者がホスト機器での設定を詳細に行わなくとも、情報記録再生装置をホスト機器と接続できるというものであり、大変便利な機能となっている。
【特許文献１】特開平１０−９７７８１号公報
【発明の開示】
【発明が解決しようとする課題】
【０００５】
しかしながら、光ディスクドライブ、半導体メモリリーダ・ライタ、ハードディスクドライブ等の情報記録再生装置（ターミナル機器）とパーソナルコンピュータ、ＰＤＡ、携帯電話、携帯型ゲーム機、携帯型テレビ等のホスト機器との接続後に、ホスト機器内部で、デバイスドライバ導入の手順を踏まなければならない。また、使用するホスト機器が対応するデバイスドライバを持ち合わせていなかった場合、ホスト機器に接続済のネットワークやホスト機器に搭載済の光ディスクドライブ等のデータ取得方法を通して、デバイスドライバを導入しなければならない。更に、デバイスドライバを導入する手段として、データ取得方法を備えていないホスト機器の場合、その導入すら困難となるというデメリットを容易に想像することができ、プラグアンドプレイを用いて、情報記録再生装置をホスト機器と接続することが不向きな場合もある。つまり、結局、プラグアンドプレイもデバイスドライバの導入が必要であることと、場合によっては、接続の対象となる情報記録再生装置以外にも外部からのデータ取得方法を予め備えておく必要がある場合もある。
【０００６】
加えて、情報記録再生装置とホスト機器との接続後、記録媒体内部のデータを使用するためのアプリケーションがホスト機器に導入されている必要があり、使用者はこの導入にも一手間踏む必要がある場合もある。
【０００７】
本発明は、接続の対象となる情報記録再生装置とホスト機器とを接続する際にデバイスドライバとアプリケーション導入手順を省略できるように、ファームウェア記憶用の不揮発性メモリ内部に外部からアクセス可能な領域を設けて、ここに装置に対応したデバイスドライバとアプリケーションとを記憶可能とする情報記録再生装置を提供することを目的とする。
【課題を解決するための手段】
【０００８】
上記課題を解決するために、この発明の情報記録再生装置は、記録媒体に対して少なくとも情報の再生の動作を行う情報記憶再生部と、外部からアクセスが不可能なアクセス不可能領域と外部からアクセスが可能なアクセス可能領域とに分割され、アクセス不可能領域に装置の制御を行うファームウェアが記憶された不揮発性メモリとを備えている。
【発明の効果】
【０００９】
この発明の情報記録再生装置によれば、装置に対応したデバイスドライバとアプリケーションとをアクセス可能領域に記憶させることができ、これにより、デバイスドライバとアプリケーション導入手順を省略することができる。
【発明を実施するための最良の形態】
【００１０】
この発明の第１の発明の情報記録再生装置によれば、ホスト機器を介して記録媒体上に記録された情報を少なくとも再生することが可能な情報記録再生装置であって、記録媒体に対して少なくとも情報の再生の動作を行う情報記憶再生部と、外部からのアクセスが不可能なアクセス不可能領域と外部からホスト機器を介してアクセスが可能なアクセス可能領域とを有し、アクセス不可能領域に装置の制御を行うファームウェアが記憶された不揮発性メモリとを備えている。この構成により、装置を制御するために必要なファームウェアが搭載されていて、本来なら、装置の外部からアクセス不可能な不揮発メモリにアクセス可能となり、その領域を装置の外部から使用することが可能となる。
【００１１】
この発明の第２の発明の情報記録再生装置によれば、第１の発明の情報記録再生装置において、不揮発性メモリは、所定のアドレスを境として分割された２つの領域を有し、アクセス不可能領域とアクセス可能領域とは、分割された２つの領域に設けられている。この構成により、単一の不揮発性メモリを所定のアドレスを境として２つの領域に分割して、アクセス不可能領域とアクセス可能領域とを設けることで、省スペース化および低消費電力化を図ることができる。
【００１２】
この発明の第３の発明の情報記録再生装置によれば、第１または第２の発明の情報記録再生装置において、外部に設けられたホスト機器につながる通信手段が、アクセス可能領域に接続可能とされている。この構成により、通信手段を介して、ホスト機器からアクセスすることにより、不揮発メモリ内部のアクセス可能領域との情報のやり取りが可能となる。
【００１３】
この発明の第４の発明の情報記録再生装置によれば、第３の発明の情報記録再生装置において、アクセス可能領域に、ホスト機器との接続に必要なデバイスドライバが記憶されている。この構成により、ホスト機器に装置内部のデバイスドライバを使用する機能があれば、ホスト機器にデバイスドライバを導入することなしに装置とホスト機器との接続を行うことが可能となる。
【００１４】
この発明の第５の発明の情報記録再生装置によれば、第４の発明の情報記録再生装置において、アクセス可能領域に、記録媒体上に記録された情報を再生するアプリケーションおよび記録媒体上に情報を記録するアプリケーションの少なくてもいずれかがさらに記憶されている。この構成により、デバイスドライバとアプリケーションを導入することなしに、記録媒体に対して、情報の再生、あるいは記録が行うことが可能となる。
【００１５】
なお、ここで「記録媒体」とは、光ディスクドライブ、半導体メモリリーダ・ライタ、ハードディスクドライブ等のことを言う。
【００１６】
また、「通信手段」とは、例えばＵＳＢ接続等の有線、あるいは無線ＬＡＮ接続等の無線通信手段のことを言う。
【００１７】
以下、本発明の具体的な内容について実施の形態を用いて説明する。
【００１８】
（実施の形態）
以下、本発明の実施の形態について図面を用いて説明する。
【００１９】
図１は本発明の実施の形態における情報記録再生装置（ターミナル機器）の内部を示すブロック図に周辺機器を加えて示す図である。
【００２０】
図１において、１は情報記録再生装置（ターミナル機器）、２は記録媒体、３はホスト機器、４は不揮発メモリ、５はアクセス可能領域、６は情報記録再生装置制御部、７は情報記録再生装置信号処理部、８は記録・再生機構部、９はホスト機器・ターミナル機器接続部、１６はアクセス不可能領域、および１７は情報記憶再生部である。
【００２１】
情報記録再生装置（ターミナル機器）１は、情報が既に記録された記録媒体から少なくとも情報を再生することが可能な機能を有している。記録媒体２は、光ディスク、半導体メモリ、ハードディスク等のように、情報を再生したり、記録したりすることが可能な機能を有している。ホスト機器３は、パーソナルコンピュータ、ＰＤＡ、携帯電話、携帯型ゲーム機、携帯型テレビ等、外部より情報記録再生装置１にアクセスし、情報記録再生装置１において、情報を再生したり、記録したりすることが可能で、使用者がホスト機器３を通して、記録媒体２の再生と記録が可能な機能を有している。
【００２２】
不揮発メモリ４は、情報記録再生装置１の内部にあるフラッシュメモリ（ＲＯＭ）等の不揮発メモリであり、アクセス可能領域とアクセス不可能領域の境のアドレス１５を境として、外部からのアクセスが不可能なアクセス不可能領域１６と、外部からのアクセスが可能なアクセス可能領域５とに分割されている。アクセス不可能領域１６には、情報記録再生装置１の動作を制御するファームウェアが記憶されている。アクセス可能領域５は、不揮発メモリ４の内部に設けられた情報記録再生装置の外部からアクセス可能な領域であり、アクセス不可能領域１６の領域と異なり、この領域には、ホスト機器３を使用して、情報記録再生装置１の外部からのアクセスが可能とされている。
【００２３】
情報記録再生装置制御部６は、情報記録再生装置１の制御を行うことが可能な機能を有している。情報記録再生装置信号処理部７は、記録媒体２からの信号を処理して情報記録再生装置制御部６に転送したり、情報記録再生装置制御部６の指示に従い、記録媒体２に情報を記録したりすることが可能な機能を有している。記録・再生機構部８は、記録媒体２に対して、直接、情報の再生を行ったり、記録を行ったりする機能を有している。
【００２４】
情報記録再生装置制御部６、情報記録再生装置信号処理部７および記録・再生機構部８は、記録媒体に対して情報の記録および情報の再生の動作を行う情報記憶再生部１７を構成している。
【００２５】
ホスト機器・ターミナル機器接続部９は、情報記録再生装置制御部６がホスト機器３との接続機能を有していない場合、ホスト機器３と情報記録再生装置制御部６の接続を有線、または無線で行い、ホスト機器３を通して行われる指示を情報記録再生装置１に伝えたり、逆に、ホスト機器３を通して情報記録再生装置１からの情報を使用者に伝えたりして、情報の再生と記録を行える機能を有している。
【００２６】
ここで、具体的には、情報記録再生装置１を光ディスクドライブとした場合、情報記録再生装置制御部６はシスコン内蔵光ディスクコントローラチップ（ＯＤＣ）、情報記録再生装置信号処理部７はフロントエンドプロセッサチップ（ＦＥＰ）、記録・再生機構部８はピックアップモジュール（ＰＵＭ）に相当する。また、情報記録再生装置１としては、半導体メモリリーダ・ライタやハードディスクドライブ等でもよい。
【００２７】
図１において、ファームウェアによる不揮発メモリ４のアドレス１５指定等により、不揮発メモリ４の内部にアクセス可能領域５とアクセス不可能領域１６とを設ける。ファームウェア等により指定されたアドレス１５を境として、アクセス可能領域５には、ホスト機器３を通して、情報記録再生装置１の外部からのアクセスが可能で、アクセス可能領域５内部の情報を取得したり、更新したりすることができる。一方で、アクセス不可能領域１６には、ホスト機器３を通して、情報記録再生装置１の外部からアクセスが不可能な仕組みになっている。このアクセス不可能領域１６に、情報記録再生装置１を制御するために必要なファームウェアを格納することとする。このような構成にすることで、ファームウェアの書換えによる情報記録再生装置１の制御不具合を防止したり、ファームウェア内部の技術を盗用されることを防止したりすることが可能となる。
【００２８】
アクセス可能領域５には、ホスト機器３との接続に必要なデバイスドライバが導入してある。情報記録再生装置１は、このデバイスドライバを使用して、ホスト機器３と接続し、情報のやり取りを行う。一方、ホスト機器３には情報記録再生装置１に導入されたデバイスドライバを使用する機能を有するものとする。これにより、ホスト機器３にとって、情報記録再生装置１はホスト機器３内部のハードディスクドライブ等と同じ認識により、接続が行われるため、ホスト機器３にデバイスドライバを導入することなく、情報記録再生装置１とホスト機器３との接続を行うことが可能となる。
【００２９】
更に、記録媒体２に対応するアプリケーションをアクセス可能領域５に導入してある。これにより、アプリケーション起動後、記録媒体２からの情報をホスト機器・ターミナル機器接続部９を通して、ホスト機器３で再生することができる。また逆に、ホスト機器３からの情報をホスト機器・ターミナル機器接続部９を通して、記録媒体に記録することができる。このため、アクセス可能領域５にアプリケーションの導入まで行われているものとすれば、ホスト機器３にはアプリケーションの導入すら必要なく、記録媒体２の情報を再生したり、記録媒体２へ情報を記録したりすることが可能となるため、使用者にとって容易に情報記録再生装置１とホスト機器３との接続手段が得られることとなる。
【００３０】
ホスト機器・ターミナル機器接続部９に関しては、情報記録再生装置制御部６にホスト機器３との接続機能が無い場合に情報記録再生装置１の内部に設ける。ホスト機器・ターミナル機器接続部９とホスト機器３との間の通信手段の接続形態としては、有線、あるいは無線の構成とする。そのため、有線での接続形態の場合は、ホスト機器３が有線で対応できる接続部を持っていれば、ＵＳＢ等の通信手段を使用して、情報記録再生装置１とホスト機器３との間の接続を行うことができ、情報のやり取りを行うことができる。また、無線での接続の場合は、ホスト機器３が無線で対応できる接続部を持っていれば、無線ＬＡＮ等の通信手段を使用して、情報記録再生装置１とホスト機器３との接続を行うことができ、情報記録再生装置１とホスト機器３とが物理的に接触していなくても、情報のやり取りを行うことができる。
【００３１】
なお、本実施の形態においては、不揮発メモリ４の内部に外部からのアクセスが可能なアクセス可能領域５を設ける構成を、単一の不揮発メモリ（フラッシュメモリ）４の内部を、所定のアドレス１５を境として２つの領域に分割して、アクセス不可能領域１６とアクセス可能領域５とを設けることで実現して省スペース化および低消費電力化を図っている。しかしながら、この構成に限定されるものではなく、例えば、低消費電力の効果を犠牲にすれば、不揮発メモリ４の内部を第１の領域および第２の領域の２つの領域に物理的に分割し一方の領域に内部バスを接続して他方の領域に外部バスを接続することで実現してもよい。また、省スペース化の効果を犠牲にすれば、内部バスが接続された第１の不揮発メモリと外部バスが接続された第２の不揮発メモリの２つの不揮発メモリを設けてこれを実現してもよい。
【００３２】
また、本実施の形態の情報記憶再生部１７は、記録媒体に対して情報の記録と情報の再生の動作を行う。しかしながら、情報記憶再生部１７の動作は、これに限定されるものではなく、情報の再生のみ行うものであってもよい。
【００３３】
図２はこの実施の形態の具体例を示す本発明に係る情報記録再生装置とその周辺機器とを示す図である。図２に示すシステムでは、情報記録再生装置１として、光ディスクドライブが装備されており、記録媒体２として、光ディスクが装備されており、ホスト機器３として、パーソナルコンピュータが装備されており、ホスト機器・ターミナル機器接続部９として、ＵＳＢ接続部が装備されている。
【００３４】
不揮発メモリ４内部のアクセス可能領域５に、外部機器であるパーソナルコンピュータ（ホスト機器３）対応のデバイスドライバが導入されている。一方で、パーソナルコンピュータは、この導入されているデバイスドライバを使用する機能を有している。具体的には、このデバイスドライバとしては、例えば、ＵＳＢマスストレージクラスのドライバやＰＣカードストレージ用のドライバである。これらは、パーソナルコンピュータのＯＳに搭載されている汎用的なもので、光ディスクドライブのような情報記録再生装置のデバイスドライバを動かすとき等に使用されるものである。よって、本実施の形態では、光ディスクドライブ等の個々に最適なデバイスドライバは個々の情報記録再生装置内部の不揮発メモリに導入し、パーソナルコンピュータのＯＳに搭載されているデバイスドライバを使用する機能を使用して、光ディスクドライブとパーソナルコンピュータのシステム上の接続を行う構成となっている。更に、光ディスク（記録媒体２）内部の情報に対応したアプリケーションもアクセス可能領域５に導入されている。
【００３５】
動作を説明する。光ディスクドライブ（情報記録再生装置１）の電源を入れた状態で、光ディスクドライブ内のＵＳＢ接続部（ホスト機器・ターミナル機器接続部９）から伸びるＵＳＢコネクタ１０をパーソナルコンピュータに接続する。
【００３６】
不揮発メモリ４内部のアクセス可能領域５をＵＳＢマスストレージクラスに対応しているリムーバブルディスクとして使用可能にする。そして、この領域内にある光ディスクドライブ用のデバイスドライバをユーザが積極的にパーソナルコンピュータにインストールするか、或いは、ホスト機器３にリムーバブルディスクを挿入した時に、パーソナルコンピュータ上で自動的にプログラムが実行される機能を用いてインストールすることにより、光ディスクドライブを認識させる。光ディスクドライブを認識すると、図３のパーソナルコンピュータのモニタ表示１１に示すように、記憶装置１２を表すアイコンとして、２台認識される。このうち、１つは光ディスクアクセス用記憶装置１３で、もう１つはアクセス可能領域５内部のアプリケーション用記憶装置１４である。アクセス可能領域５内のアプリケーション用記憶装置１４は場合によっては、自動再生機能（ＡＵＴＯ  ＲＵＮ）によって、立ち上がる場合もある。このアプリケーション用記憶装置１４を立ち上げ、パーソナルコンピュータ上で光ディスクアクセス用記憶装置１３にアクセスできる状態にする。
【００３７】
光ディスク（記録媒体２）に既にデータが記録され、そのデータを再生する際、先ずは、光ディスクを光ディスクドライブ内のＰＵＭ（記録・再生機構部８）にチャッキングする。その後、既に立ち上がっているアプリケーションにより、光ディスク内部のデータにアクセスし、データを取り出す。例えば、光ディスクに記録してあるデータが音楽データの場合、アクセス可能領域５の内部に搭載されたアプリケーションにより、音楽が再生され、パーソナルコンピュータ付属のスピーカにより聞くことができる。
【００３８】
光ディスクにデータを記録する際、先ずは、その後、記録可能領域をもつ光ディスクを光ディスクドライブ内のＰＵＭにチャッキングする。既に立ち上がっているアプリケーションに、パーソナルコンピュータから記録したいデータを設定し、記録を行う。例えば、光ディスクに記録したいデータが動画データである場合、アクセス可能領域５の内部に搭載されたアプリケーションにより、パーソナルコンピュータから記録したい動画データに対して、ＭＰＥＧ２等の圧縮やビデオ編集を行い、記録を行う。
【００３９】
このように、本実施の形態の光ディスクドライブ、半導体メモリリーダ・ライタ、ハードディスクドライブ等の情報記録再生装置（ターミナル機器）１は、内部にあるファームウェア格納用のフラッシュメモリ（ＲＯＭ）等の不揮発メモリ４において、外部からアクセス可能なアクセス可能領域を有し、少なくとも、その領域にパーソナルコンピュータ、ＰＤＡ、携帯電話、携帯型ゲーム機、携帯型テレビ等のホスト機器との接続に必要なデバイスドライバを有し、ホスト機器３にはそのデバイスドライバを使用できるだけの機能を有する構成とし、更に、情報記録再生装置１内部のデータを使用できるアプリケーションをも有することで、ホスト機器３から記録媒体２上に記録された情報を直接使用できるようにしている。
【００４０】
なお、上記実施の形態においては、情報記録再生装置１として、光ディスク、ホスト機器３として、パーソナルコンピュータを例に挙げ、情報記録再生装置１とホスト機器３の接続例を説明したが、情報記録再生装置１としては、半導体メモリリーダ・ライタ、ハードディスクドライブ等、ホスト機器３としては、ＰＤＡ、携帯電話、携帯型ゲーム機、携帯型テレビ等が想定できることは言うまでもない。
【００４１】
本発明に係る情報記録再生装置によれば、情報記録再生装置の不揮発メモリ内部にある情報記録再生装置の外部からアクセス可能な領域にデバイスドライバを導入済みで、情報記録再生装置との接続のために、パーソナルコンピュータ、ＰＤＡ、携帯電話、携帯型ゲーム機、携帯型テレビ等のホスト機器に情報記録再生装置のデバイスドライバを使用する機能さえあれば、ホスト機器にデバイスドライバを導入する必要が無いため、ホスト機器に、情報記録再生装置との接続に対応するデバイスドライバが無い場合でも、情報記録再生装置とホスト機器との接続を使用者にとって行うことが容易に可能となる。
【００４２】
さらにまた、情報記録再生装置の不揮発メモリ内部にある情報記録再生装置の外部からアクセス可能な領域にアプリケーションまでを導入すれば、ホスト機器側には、情報記録再生装置内部のデータを使用するためのアプリケーションが不要となり、情報記録再生装置からホスト機器へと転送される記録媒体上に記録された情報をホスト機器でそのまま使用することも可能となる。
【００４３】
例えば、本発明に係る情報記録再生装置による光ディスクドライブの場合、最適なデバイスドライバとアプリケーションが光ディスク側より提供できるため、従来、パーソナルコンピュータ側で使用者が行っていた、アプリケーションやバージョンの違い、パケットライト用やライトワンス用といった用途の違い、２層ディスクへの対応の可否を考慮したデバイスドライバやアプリケーションの導入手順が不要となる。
【００４４】
更に、光ディスクドライブ側にアプリケーションが導入されているため、複数のパーソナルコンピュータで１つの外付け光ディスクドライブを使用する場合、それぞれのパーソナルコンピュータに光ディスクドライブに対応したアプリケーションを導入することも不要となる。
【００４５】
また、光ディスクドライブの内部に導入されたデバイスドライバとアプリケーションは、不揮発メモリ内部にある情報記録再生装置の外部からアクセス可能な領域に導入されているため、使用者が光ディスクドライブを購入した後も、ダウンロード対応による新たなデバイスドライバやアプリケーションの導入や更新が可能である。
【００４６】
このように、デバイスドライバとアプリケーション導入の複雑な手順を省くために、本実施の形態においては、本来、ホスト機器に搭載される光ディスクドライブ等の情報記録再生装置を使用するために必要なデバイスドライバとアプリケーションを情報記録再生装置に搭載可能な構成とし、使用者にとって使用しやすい情報記録再生装置を提供する。
【産業上の利用可能性】
【００４７】
以上のように、本発明にかかる情報記録再生装置（ターミナル）は、記録媒体として光ディスクや半導体メモリやハードディスク等を用いる情報記録再生装置とパーソナルコンピュータ、ＰＤＡ、携帯電話、携帯型ゲーム機、携帯型テレビ等のホスト機器との接続が可能であることから、例えばＤＶＤ記録再生装置、ＭＤ記録再生装置、ＣＤ−Ｒ記録再生装置、半導体リーダ・ライタ、ハードディスクドライブ装置等に適用して好適なものである。
【図面の簡単な説明】
【００４８】
【図１】本発明に係る情報記録再生装置のブロック図に周辺機器を加えて示す図
【図２】情報記録再生装置の具体例を示すシステム構成図
【図３】図２に示すシステムのモニタの一表示画面を示す図
【符号の説明】
【００４９】
１    情報記録再生装置（ターミナル機器）
２    記録媒体
３    ホスト機器
４    不揮発メモリ
５    アクセス可能領域
６    情報記録再生装置制御部
７    情報記録再生装置信号処理部
８    記録・再生機構部
９    ホスト機器・ターミナル機器接続部（通信手段）
１０    ＵＳＢコネクタ
１１    モニタ表示
１２    記憶装置
１３    光ディスクアクセス用記憶装置
１４    アプリケーション用記憶装置
１５    アクセス可能領域とアクセス不可能領域の境のアドレス
１６    アクセス不可能領域
１７    情報記憶再生部
【図１】
2007179148.tif 000003
【図２】
2007179148.tif 000004
【図３】
2007179148.tif 000005